(57)【特許請求の範囲】
【請求項１】
支柱と、支柱に取り付けられるコーナブラケットと、コーナブラケットに取り付けられる横フレームと縦フレームとを備えたエアコン置台であって、
コーナブラケットは、スライド自在に支柱を挿入して支柱に固定される環状壁部に形成された基部と、基部を構成する壁面から左右内向きに突出するように形成された横フレームを取り付けるための支持部とを備えるとともに、上下対称的に形成され、
前記横フレームは、前記支持部を挿入するように方形断面形状の筒状部を備え、
前記支持部は、コーナブラケットの基部を構成する壁面から突出する所定高さで所定間隔に形成された一対の対向壁とこの対向壁の先端部を連結する連結壁とにより平面視ループ状に形成されるとともに、その外側面間寸法が前記横フレームにおける筒状部の内側の幅寸法と略同一に形成され、さらにその高さ寸法が前記横フレームにおける筒状部の内側の高さ寸法と略同一に形成されている
ことを特徴とするエアコン置台。
【請求項２】
前記横フレームは、エアコンを固定するベースフレーム取付用のボルトのねじ部を上方に突出させるようにこのボルトの頭部を収納する溝部が、前記筒状部の上部において長手方向に形成されていることを特徴とする請求項１記載のエアコン置台。
【請求項３】
前記横フレームは、筒状部を形成する壁部と前記支持部とが水平方向に締結される締結部材により固定されている
ことを特徴とする請求項２記載のエアコンの置台。
【請求項４】
前記支持部には、前記締結部材の周辺の前記対向壁間のスペースを埋めるスペーサが配設されている
ことを特徴とする請求項３記載のエアコン置台。
【請求項５】
前記支持部は、前記連結壁の表面から突出するように上下方向のタッピングねじ螺合用の溝部が形成され、
前記横フレームの筒状部の下面を成す壁部にはこのタッピングねじ用の貫通孔が形成され、
筒状部の下面を成す壁部と前記支持部とがタッピングねじにより固定されている
ことを特徴とする請求項１〜４の何れか１項に記載のエアコン置台。
【請求項６】
前記横フレームの筒状部は、下面を成す壁部におけるタッピングねじ用の貫通孔の左右に水抜き孔が形成されていることを特徴とする請求項５記載のエアコン置台。
【請求項７】
前記スペーサは、正面から見た略中央部の表面に係合突部が形成され、
前記支持部の前記対向壁には、この係合突部に係合する係合孔が形成されている
ことを特徴とする請求項６記載のエアコン置台。
【請求項８】
前記支柱は筒状に形成され、
コーナブラケットは、前記基部の環状壁部が前記基部として形成されるとともに、この環状壁部を構成する壁面から前後内向きに突出するように形成された縦フレームを取り付けるための支持部を有し、
前記縦フレームは、この支持部に固定されている
ことを特徴とする請求項１〜７の何れか１項に記載のエアコン置台。
【請求項９】
前記横フレームを固定する支持部は、この支持部の外側壁面が、前記コーナブラケットの前後外側面から横フレームの筒状部の側壁の肉厚に相当する寸法とコーナブラケットの角部のＲに相当する寸法とを加算した寸法に略等しい寸法分内側に位置し、
前記横フレームは、その筒状部の側壁の内面がこの支持部の外側壁面に当接するとともに、この側壁の端面がコーナブラケットの外周壁面に当接するように取り付けられていることを特徴とする請求項８記載のエアコン置台。
【請求項１０】
前記縦フレームを固定する支持部は、この支持部の外側壁面が、前記コーナブラケットの左右外側面から縦フレームの側壁の肉厚とコーナブラケットの角部の略Ｒ分の寸法とを加算した寸法分内側に位置し、
前記縦フレームは、その側壁の内面がこの支持部の外側壁面に当接するとともに、この側壁の端面がコーナブラケットの外周壁面に当接するように取り付けられていることを特徴とする請求項８又は９記載のエアコン置台。
【請求項１１】
前記支柱、コーナブラケット、横フレーム及び縦フレームは、アルミニウム又はアルミニウム合金製の押出成型された型材から形成され、基本形状が押出方向に同一断面形状となるように形成されていることを特徴とする請求項１〜９の何れか１項に記載のエアコン置台。
【発明の詳細な説明】
【技術分野】
【０００１】
本発明は、エアコン置台に関し、特に、支柱の高さ方向に沿ってコーナブラケットがスライド自在に支持されるとともに、このコーナブラケットに対し横フレーム及び縦フレームが取り付けられているエアコン置台に関する。
【背景技術】
【０００２】
エアコンの室外機は、通常、所定位置に載置支持する場合にエアコン置台が用いられている。また、最近のエアコン置台は、軽量化や見栄え向上の観点からアルミニウム又はアルミニウム合金製の押出型材が用いられる傾向にある。このようなエアコン置台は、四隅に立設された支柱に対し、コーナブラケットが高さ位置調節自在に取り付けられ、このコーナブラケットに対して横フレーム及び縦フレームが取り付けられるように構成されている。上記エアコン置台の一例として特許文献１を挙げることができる。このエアコン置台を図１１〜図１３に示す。
【０００３】
図１１〜図１３に示すエアコン置台は、四隅に立設された４本の支柱１００に対し継手部材（コーナブラケット）１１０が高さ方向にスライド自在に取り付けられ、この継手部材１１０に対し前後一対の横フレーム１２０と左右一対の縦フレーム１３０とが取り付けられている。また、前後一対の横フレーム１２０間にはエアコンを載置するための左右一対のベースフレーム１４０が適宜の間隔に配置されて架け渡されている。この間隔はエアコンの大きさに対応して変更される。さらに、支柱１００の下方部には設置面の傾斜や凹凸に対する高さ調整のためのアジャスタ１５０が取り付けられている。
【０００４】
またこれら部品のうちアジャスタ１５０を除く支柱１００、継手部材１１０、横フレーム１２０、縦フレーム１３０及びベースフレーム１４０が、それぞれアルミニウム又はアルミニウム合金製の押出型材により形成されている。
【０００５】
支柱１００は、略方形筒断面形に形成されたものであって、外面となる二つの側面１０１を有するとともに、この二つの側面１０１が交差するコーナ部が略円弧状の曲面１０２に形成され、さらに、上記外面以外の内向きの二つの側面１０３には、高さ方向に延びる継手用溝部１０４がそれぞれ形成されている。継手用溝部１０４は、平面視略Ｔ字状の内部空間を備えている。また、内向きの二つの側面１０３間のコーナ部分は、平坦な斜め内向き固定面１０５として形成されている。そして、各側面１０３と固定面１０５とにより支柱１００内にホルダガイド溝部１０６が形成されるとともに、このホルダガイド溝部１０６によりホルダ体１０７が保持されている（図１３参照）。また、このホルダ体１０７には、継手部材１１０を固定する六角穴付きボルト１０８に締結されるナット１０８ａが保持され、固定面１０５には六角穴付きボルト１０８を挿通するためのボルト挿通孔１０８ｂが高さ方向に所定の間隔で複数形成されている。
【０００６】
継手部材１１０は、図１２に示すように、支柱１００の固定面１０５及びその両側の側面１０３に跨って当接される屈曲板状の継手基部１１１を備え、側面１０３に当接される継手基部１１１の各面には平面視略Ｔ字状の継手部１１２が形成されている。この継手部１１２は、支柱１００の継手用溝部１０４に摺動自在に嵌合されている。また、継手基部１１１の固定面１０５には、六角穴付きボルト１０８を挿通するためのボルト挿通孔１１３が形成されている。このような構成により、継手部材１１０は次のように固定されている。すなわち、支柱１００の継手用溝部１０４に平面視略Ｔ字状の継手部１１２が嵌合され、前述の複数のボルト挿通孔１０８ｂのうちから選択されたものに対しナット１０８ａ及びボルト挿通孔１１３が芯合わせされる。そして、ボルト挿通孔１１３及びボルト挿通孔１０８ｂに対し六角穴付きボルト１０８が挿通されて、ナット１０８ａに対して締結されることにより、継手部材１１０が支柱１００における所定の高さ位置に固定される。
【０００７】
また、継手基部１１１の横フレーム側の面には横フレーム１２０内に挿入される二分割構造の継手挿入部１１４が形成され、縦フレーム側の面には縦フレーム１３０内に挿入される二分割構造の継手挿入部１１５が形成されている。また、これら継手挿入部１１４、１１５の内側の面には係合部１１６，１１７が形成されている。
【０００８】
横フレーム１２０は、図１２に示すように、中空形状とされた略方形筒断面形状に形成され、ベースフレーム１４０を左右方向の任意の位置においてタッピングねじ止め可能とするために、上面にボス部（図示省略）をスライド自在の支持するガイド溝部１２１が形成されている。また、ガイド溝部１２１の下方に仕切壁部１２２が形成されている。一方、縦フレーム１３０は、図１２に示すように、中空形状とされた略方形筒断面形状に形成され、横フレーム１２０の全体の断面形状（仕切壁部１２２を省略した断面形状）と略同一に形成されている。そして、図１３に示すように、横フレーム１２０及び縦フレーム１３０の端部には、前述の継手挿入部１１４，１１５が挿入されたときに、継手挿入部１１４，１１５の内側の面の係合部１１６，１１７に係合する係止片部１２４，１３１が形成されている。したがって、横フレーム１２０及び縦フレーム１３０は、これら端部に継手挿入部１１４，１１５が挿入されることにより、係合部１１６，１１７が係止片部１２４、１３１に係合されて、継手部材１１０に取り付けられる構造となっている。
【特許文献１】特開２００５−２９９９５３号公報
【発明の開示】
【発明が解決しようとする課題】
【０００９】
上記のように、特許文献１に記載のエアコン置台では、継手部材１１０の二分割構造の継手挿入部１１４，１１５が横フレーム１２０及び縦フレーム１３０に挿入されて、横フレーム１２０及び縦フレーム１３０が継手部材１１０に取り付けられていた。このため、例えばエアコン置台が左右方向に力を受けて変形する場合には、継手挿入部１１４の先端部の上下角部が横フレーム１２０の中空形状を構成する上方の壁部又は下方の壁部を押圧する。この押圧力は、継手挿入部１１４が二分割されるとともに先端が尖っていることと相俟って、横フレームの中空壁部に力が局部的に集中して作用し、横フレームが変形してエアコン置台の安定性が損われ易いという問題があった。
【００１０】
本発明は、このような背景に基づきなされたものであって、横フレームとコーナブラケットとの取付部の強度向上を図ったエアコン置台を提供することを目的とする。
【課題を解決するための手段】
【００１１】
本発明に係るエアコン置台は、このような課題を解決するものであって、支柱と、支柱に取り付けられるコーナブラケットと、コーナブラケットに取り付けられる横フレームと縦フレームとを備えたエアコン置台であって、コーナブラケットは、スライド自在に支柱を挿入して支柱に固定される環状壁部に形成された基部と、基部を構成する壁面から左右内向きに突出するように形成された横フレームを取り付けるための支持部とを備えるとともに、上下対称的に形成され、前記横フレームは、前記支持部を挿入するように方形断面形状の筒状部を備え、前記支持部は、コーナブラケットの基部を構成する壁面から突出する所定高さで所定間隔に形成された一対の対向壁とこの対向壁の先端部を連結する連結壁とにより平面視ループ状に形成されるとともに、その外側面間寸法が前記横フレームにおける筒状部の内側の幅寸法と略同一に形成され、さらにその高さ寸法が前記横フレームにおける筒状部の内側の高さ寸法と略同一に形成されていることを特徴とする。
【００１２】
このような構成上の特徴を備えた本発明に係るエアコン置台によれば、コーナブラケットは、スライド自在に支柱を挿入して支柱に固定される環状壁部に形成された基部と、基部を構成する壁面から左右内向きに突出するように形成された横フレームを取り付けるための支持部とを備えるとともに、上下対称的に形成されている。これにより、本発明に係るエアコン置台は、支柱に対する取り付け高さ位置を自由に選択可能とするとともに、上下の向きを適宜選択することにより四隅の各支柱に取り付けられるコーナブラケットを共通化可能としている。さらに、本発明によれば、このように各支柱に取り付けられるコーナブラケットの共通化可能とした構成において、コーナブラケットの基部を構成する壁面から突出する支持部は、所定間隔に形成された一対の対向壁とこの対向壁の先端部を連結する連結壁とにより平面視ループ状に形成されるとともに、この先端部の外側面間寸法が筒状部の内側の幅寸法と略同一に形成されている。したがって、エアコン置台が左右方向の力を受けて変形する場合に、横フレームの筒状部を構成する壁部に当接する面積が従来のものに比し大きくなるので、局部的な力の集中を緩和することができ、横フレームの変形を抑制するとともに、エアコン置台の安定性を向上させることができる。
【００１３】
また、前記横フレームは、エアコンを固定するベースフレーム取付用のボルトのねじ部を上方に突出させるようにこのボルトの頭部を収納する溝部が、前記筒状部の上部において長手方向に形成されているようにしてもよい。このような構成によれば、支持部を挿入する筒状部を単純な筒状構造とすることができ、筒状部の前後方向の寸法を大きくすることができる。この結果、筒状部の上下の壁部と接触する支持部の先端部の面積を大きくすることができるので、局部的な力の集中を抑制し易くなる。また、筒状部の上部にベースフレーム取付用の溝部が形成されているので、ベースフレームの取付を容易にすることもできる。
【００１４】
また、この場合において、前記横フレームは、筒状部を形成する壁部と前記支持部とが水平方向に締結される締結部材により固定されているようにしてもよい。前述のように、支持部を挿入する筒状部が単純な筒状構造とされているので、水平方向に締結される締結部材により横フレームが支持部に固定される。また、このように固定されることにより、横フレームの筒状部の壁部に作用する力の集中をより一層緩和することができる。
【００１５】
前記支持部には、前記締結部材周辺の前記対向壁間のスペースを埋めるスペーサが配設されていることが好ましい。このような構成によれば、ループ状に形成されている支持部内がスペーサで埋められた状態で、支持部に対し横フレームが締め付けられて固定されるため、横フレーム取付時に支持部及び横フレームの変形が抑制される。この結果、横フレームとコーナブラケットとの連結が強固に行われる。
【００１６】
また、前記支持部は、前記連結壁の表面から突出するように上下方向のタッピングねじ螺合用の溝部が形成され、前記横フレームの筒状部の下面を成す壁部にはこのタッピングねじ用の貫通孔が形成され、筒状部の下面を成す壁部と前記支持部とがタッピングねじにより固定されていることが好ましい。このような構成によれば、このタッピングねじによる固定により、支持部の先端部から筒状部の壁部に伝達される力が軽減されるので、筒状部の変形が緩和される。
【００１７】
前記横フレームの筒状部は、下面を成す壁部におけるタッピングねじ用の貫通孔の左右に水抜き孔が形成されている。このような構成によれば、横フレーム内において、ループ状の支持部内に侵入した水分と、ループ状の支持部の外側に浸入した水分とを支障なく排出することができる。
【００１８】
また、前記スペーサは、正面から見た略中央部の表面に係合突部が形成され、前記支持部の前記対向壁には、この係合突部に係合する係合孔が形成されていることが好ましい。このような構成すると、ループ状に形成されている支持部内にスペーサを所定の位置に容易に挿入することができる。
【００１９】
また、前記支柱は筒状に形成され、コーナブラケットは、前記基部の環状壁部を構成する壁面から前後内向きに突出するように形成された縦フレームを取り付けるための支持部を有し、前記縦フレームがこの支持部に固定されているように構成することができる。このように構成すれば、環状壁部からなる基部を支柱に対し適宜の高さ位置に取り付けることができるとともに、この基部に横フレーム及び縦フレームを取り付ける支持部が構成されているので、横フレーム及び縦フレームを支柱の適宜の位置に容易に連結することができる。
【００２０】
また、前記横フレームを固定する支持部は、この支持部の外側壁面が、前記コーナブラケットの前後の外側面から横フレームの筒状部の側壁の肉厚に相当する寸法とコーナブラケットの角部のＲに相当する寸法とを加算した寸法に略等しい寸法分内側に位置し、前記横フレームは、その筒状部の側壁の内面がこの支持部の外側壁面に当接するとともに、この側壁の端面がコーナブラケットの外周壁面に当接するように取り付けられているように構成することが好ましい。このように構成すると、コーナブラケットにおいては、横フレームを介してコーナブラケットに作用する力が横フレームを固定する支持部を形成する壁部と直交する壁部の肉厚部に作用するように、横フレームが支持される。これにより、この支持部の先端部が横フレームの筒状部の上下の壁部を押圧する力が軽減される。また、横フレームを介し横フレームを固定する支持部を形成する壁部に作用する力が低減されるので、この壁部の変形が軽減される。このように作用する結果、エアコン置台の強度が向上する。
【００２１】
また、前記縦フレームを固定する支持部は、この支持部の外側壁面が、前記コーナブラケットの左右外側面から縦フレームの側壁の肉厚とコーナブラケットの角部の略Ｒ分の寸法とを加算した寸法分内側に位置し、前記縦フレームは、その側壁の内面がこの支持部の外側壁面に当接するとともに、この側壁の端面がコーナブラケットの外周壁面に当接するように取り付けられているようにすることが好ましい。このように構成すると、コーナブラケットにおいては、縦フレームを介してコーナブラケットに作用する力が縦フレームを固定する支持部を形成する壁部と直交する壁部の肉厚部に作用するように、縦フレームが支持される。これにより縦フレームを介し縦フレームを固定する支持部を形成する壁部に作用する力が低減されるので、この壁部の変形が軽減され、エアコン置台の強度が向上する。
【００２２】
また、前記支柱、コーナブラケット、横フレーム及び縦フレームは、アルミニウム又はアルミニウム合金製の押出成型された型材から形成され、基本形状が押出方向に同一断面形状となるように形成されていることが好ましい。このように構成することにより、コスト軽減及び軽量化を図るとともに外観の見栄えを向上させることができる。
【発明の効果】
【００２３】
本発明に係るエアコン置台によれば、支柱に対する取り付け高さ位置を自由に選択可能とするとともに、上下の向きを適宜選択することにより四隅の各支柱に取り付けられるコーナブラケットを共通化可能とするように構成されている。また、このような構成において、コーナブラケットの基部を構成する壁面から突出する支持部は、所定間隔に形成された一対の対向壁とこの対向壁の先端部を連結する連結壁とにより平面視ループ状に形成されるとともに、この先端部の外側面間寸法が筒状部の内側の幅寸法と略同一に形成されている。したがって、エアコン置台が左右方向の力を受けて変形する場合に、横フレームの筒状部を構成する壁部に当接する面積が従来のものに比し大きくなるので、局部的な力の集中を緩和することができ、横フレームの変形を抑制するとともに、エアコン置台の安定性を向上させることができる。
【発明を実施するための最良の形態】
【００２４】
以下、本発明を具体化した実施の形態に係るエアコン置台について図面を参照しながら説明する。なお、本明細書において左右、手前などの方向をいうときは、図１に示したエアコン置台における斜め左前を正面とした方向をいうものとする。
【００２５】
このエアコン置台は、図１の斜視図に示すように、平置台であって、四隅に立設された４本の支柱１０に対しコーナブラケット２０が取り付けられ、このコーナブラケット２０に対し前後一対の長尺の横フレーム４０と左右一対の短尺の縦フレーム５０とが組み付けられている。また、前後一対の横フレーム４０間にはエアコンを載置するための一対のベースフレーム６０が所定の間隔で平行に配置されて架け渡されている。また、支柱１０の下部には設置面の状況に応じてエアコン置台を水平に維持するためのアジャスタ７０が取り付けられている。
【００２６】
支柱１０は、図２に示すように略方形筒断面形状に形成されている。より詳しくは、図２に図示するように、外側の二つの壁部１１，１２の交差する角部は所定半径の円弧からなる曲面状の壁部１３に形成され、また、内側の二つの壁部１４，１５の交差する角部は、角部を斜めにカットする平面状の壁部１６に形成されている。また、支柱１０の左右方向の外側面を成す壁部１１には、図１に示すように、コーナブラケット２０の取り付け位置を位置決めするためのタッピングねじ１７用の下孔１１ａが適宜に設定された一定の間隔で複数個形成されている。また、支柱１０の下方部の壁部１１，１２，１４，１５には、図３に示すように、アジャスタ７０を取り付けるための十字穴付六角ボルト７１を左右方向に挿通させるためのボルト挿通孔１８がそれぞれ形成されている。ボルト挿通孔１８は、支柱１０の左右の壁部１１，１４のみならず前後の壁部１２，１５にも形成されているが、このようにボルト挿通孔１８を前後左右の壁部１１，１２，１４，１５に形成するのは、ボルト挿通孔１８に関して左右前後の支柱１０を共通化するためである。
【００２７】
なお、タッピングねじ１７用の下孔１１ａは、外観上の見栄えを考慮するとともに、コーナブラケット２０の取り付け方向を間違えることがないようにするために、支柱１０の左右方向の外側面をなす壁部１１にのみに形成されている。したがって、支柱１０は、タッピングねじ１７用の下孔１１ａが形成される壁部１１と曲面状の壁部１３との位置関係により、手前側の左右の支柱１０が左右対称的な構成であり、左右に立設される前後の支柱１０が前後対称的な構成とされている。この結果、右前の支柱１０と左後の支柱１０とが同一物であり、左前の支柱１０と右後の支柱１０とが同一物となっている。また、支柱１０は、長手方向（高さ方向）を押出方向とし、基本形状が押出方向に同一断面形状であるアルミニウム又はアルミニウム合金製の型材を使用するものであって、長手方向の断面形状は基本的に同一に形成されている。
【００２８】
また、支柱１０において、十字穴付六角ボルト７１を挿通する内部には、図３に示すように、十字穴付六角ボルト７１の締結時に支柱１０が変形することを防止するための支柱スペーサ１９が挿入されている。支柱スペーサ１９の平面形状は、支柱１０の内部断面形状と略同形に形成されている。ただし、支柱１０の壁部１１と壁部１５との直交角部及び壁部１２と壁部１４との直交角部に対応するコーナ部は、カットされていている。また、このような形状を有する支柱スペーサ１９には、左右方向及び前後方向に十字穴付六角ボルト７１を挿通するための貫通孔１９ａ，１９ｂが十文字状に形成されている。例えば、右前の支柱１０では、図３に図示のように十字穴付六角ボルト７１を貫通孔１９ａに挿通させるように支柱スペーサ１９が挿入され、左前の支柱１０では、十字穴付六角ボルト７１を貫通孔１９ｂに挿通させるように支柱スペーサ１９が挿入される。また、これら貫通孔１９ａ，１９ｂが交差する部分には垂直方向に孔１９ｃが形成されているが、これは重量軽減のために設けられたものである。
【００２９】
コーナブラケット２０は、図４に示すように、支柱１０より厚肉の部材に形成されたものであって、支柱１０をスライド自在に挿入する所定高さの環状壁部２０Ａを基部としている。この環状壁部２０Ａは、内面の断面形状が支柱１０の外面の断面形状に略一致するように形成されている。すなわち、環状壁部２０Ａは、図５の平面図に示すように、外側の二つの壁部２１，２２、二つの壁部２１，２２が交差する位置に形成された所定半径の円弧からなる曲面状の壁部２３、内側の二つの壁部２４，２５、内側の二つの壁部２４，２５が交差する位置に形成された平面状の壁部２６を備えている。そして、前後方向の内側の壁部２５には、高さ方向の所定幅のスリットを有するスリット部２７が形成され、スリット部２７には、環状壁部２０Ａの壁面からスリット間隔を維持して略直交状に突出する一対の対向する締結片２８が形成されている。また、締結片２８の高さ方向中心位置には、図２に示すように、締結部材としてのボルト２９を締結片２８間に架け渡すようにするためのボルト孔２８ａが１個形成されている。
【００３０】
コーナブラケット２０は、図２及び図４に示すように、ボルト２９に座金２９ａ，２９ｂを介してナット２９ｃを締結することにより、締結片２８間の間隔を狭めるように環状壁部２０Ａが締め付けられる。そして、このように環状壁部２０Ａが締め付けられることにより、環状壁部２０Ａの内面と支柱１０の外周面との間に摩擦力と弾性力が作用して、コーナブラケット２０が支柱１０に取り付けられる。
【００３１】
なお、一対の対向する締結片２８は、後述する縦フレーム５０を取り付けるための支持部を兼ねている。また、この締結片２８間の間隔を狭めるように締結されるボルト２９は、後述するように縦フレーム５０の側壁５２を共締めすように締結される。
【００３２】
また、環状壁部２０Ａにおける左右方向外側の壁部２１の高さ方向中心位置には、位置決め用のタッピングねじ１７用の貫通孔２１ａが形成されている。したがって、上記のようにボルト２９により環状壁部２０Ａを締め付ける前に、貫通孔２１ａを通してタッピングねじ１７を支柱１０の下孔１１ａにねじ込むことによりコーナブラケット２０を仮止めできる。また、この下孔１１ａの位置を選択することにより、コーナブラケット２０の取付高さ位置を設定することができる。
【００３３】
一方、環状壁部２０Ａにおける左右方向内側の壁部２４には、図２、図４及び図５に示すように、左右内向きに突出する横フレーム取付用の支持部３１が形成されている。この支持部３１は、環状壁部２０Ａの壁面から突出する所定高さで所定間隔に形成された一対の対向壁３２とこの対向壁３２の先端部を連結する連結壁３３とにより平面視ループ状に形成されている。また、支持部３１は、図４(ａ)に示すように、前後方向の外形寸法、すなわち、対向壁３２の外側面間の寸法が後述する横フレーム４０における筒状部４１の内側の幅寸法と略同一に形成され、さらに、その高さ寸法が、図４(ｂ)に示すように、横フレーム４０における筒状部４１の高さ寸法と略同一に形成されている。また、一対の対向壁３２の高さ方向中心位置には、図４（ａ）及び（ｂ）に示すように、横フレーム４０をリベット４４で取り付けるための２個のリベット孔３４がそれぞれに形成されている。上記のように、支持部３１は、連結壁３３によりループ状にするとともに、対向壁３２の外側面間の寸法を横フレーム４０における筒状部４１の内側の幅寸法と略同一とすることにより、支持部３１の先端部が筒状部４１の上下の壁部に接触する面積を大きくしている。
【００３４】
また、連結壁３３には、図４（ａ）に示すように、連結壁３３の表面から横方向に突出するように、上下方向のタッピングねじ螺合用の溝部３５が形成されている。また、支持部３１における一対の対向壁３２間には、対向壁３２間のスペースを埋めるスペーサ３６が配設されている。スペーサ３６は、図２及び図７に示すように、正面視瓢箪形であって、対向壁３２間の間隔寸法と略同一の厚さのものであり、前述のリベット孔３４と対向する位置に、リベット４４を貫通させるための貫通孔３７，３８が形成されている。なお、貫通孔３７，３８の端部はリベット４４を挿入し易いようにテーパ状に形成されているとともに、横方向内側の貫通孔３７は半穴状に形成されている。また、このスペーサ３６は、前後方向及び上下方向に対称的に形成されており、四隅に取り付けられるスペーサ３６を同一物としている。また、スペーサ３６の前後面における略中央部には、正面視略四角形の係合突部３９が形成されている。そして、これに対応するように、対向壁３２には係合突部３９を係合させる係合孔３２ａが設けられている。これにより、スペーサ３６を容易に、かつ正確に対向壁３２間に取り付けることができる。また、スペーサ３６を対向壁３２間に介在させることにより、支持部３１及び横フレーム４０の変形を回避しながらリベット４４により横フレーム４０と支持部３１とを結合することができる。
【００３５】
コーナブラケット２０における締結片２８の位置は、次のように設定されている。すなわち、コーナブラケット２０の左右方向の外側面から締結片２８の外側壁面までの寸法ｘ１は、図４（ａ）に示すように、コーナブラケット２０の左右方向の外側面から、縦フレーム５０の側壁５２の肉厚に相当する寸法ｘ２とコーナブラケット２０の角部のＲに相当する寸法ｘ３とを加算した寸法に略等しい寸法ｘ１に設定されている。
【００３６】
また、コーナブラケット２０における支持部３１の位置は、次のように設定されている。すなわち、コーナブラケット２０の前後方向の外側面から支持部３１の外側壁面までの寸法ｙ１は、図４（ａ）に示すように、コーナブラケット２０の前後方向の外側面から、横フレーム４０の側壁の肉厚に相当する寸法ｙ２とコーナブラケット２０の角部のＲに相当する寸法ｙ３とを加算した寸法に略等しい寸法ｙ１に設定されている。
【００３７】
コーナブラケット２０は、上記のように構成されるものであって上下対称的に形成されている。したがって、このように形成されたコーナブラケット２０は、上下方向を適宜選択することにより四隅の支柱１０に対し同一のものを使用することができる。また、コーナブラケット２０は、長手方向、すなわち高さ方向を押出方向とし、基本形状が押出方向に同一断面形状であるアルミニウム又はアルミニウム合金製の型材を使用するものであって、高さ方向の断面形状は基本的に同一に形成されている。
【００３８】
次に、横フレーム４０は、図２に示すように、方形筒断面形状の筒状部４１と、その上部に形成されたベースフレーム取付用のボルト保持用の溝部４２とから形成されている。筒状部４１は、前述のように、内側の高さ方向の寸法がコーナブラケット２０の支持部３１の高さ、すなわち対向壁３２の高さに略同一に形成され、内側の前後方向の寸法が支持部３１の前後方向の外形寸法、すなわち、対向壁３２の外側面間の寸法に略同一に形成されている。これにより、この筒状部４１内に支持部３１が嵌入されるように形成されている。横フレーム４０は、このように下部をコーナブラケット２０の支持部３１を挿入する筒状部４１とし、上部をベースフレーム取付用のボルト保持用の溝部４２としている。これにより、筒状部４１の前後方向の寸法を大きくすることを可能にしている。また、筒状部４１を単純な筒状として、水平方向に横フレームを貫通する締結部材により、横フレームを支持部３１に容易に固定することができるように構成されている。
【００３９】
このような趣旨から、横フレーム４０は、その端部に支持部３１が挿入されたときに、水平方向に貫通する締結部材としてリベット４４が用いられて取り付けられている。そのために、横フレーム４０の端部における筒状部４１の前後の壁部には、リベット孔３４と対向する位置にリベット孔４５がそれぞれ形成されている。なお、リベット孔４５は、横フレーム４０の端面がコーナブラケット２０の環状壁部２０Ａの外周面に当接するように位置が設定されている。また、この状態において前述の溝部３５に対しタッピングねじ４７をねじ込んで壁部４６をコーナブラケット２０に固定することができるように、筒状部４１の下面を成す壁部４６にはタッピングねじ４７用の貫通孔４８が形成されている（図６参照）。また、この貫通孔４８の左右には、２個の水抜き孔４９が形成されている。横フレーム４０の端部に近いほうの水抜き孔４９は、筒状部４１内における支持部３１内に侵入した雨水等の水抜き用のものであり、他の水抜き孔４９は、横フレーム４０のその他の部分に侵入した雨水等の水抜き用のものである。
【００４０】
溝部４２は、図２に示すように、方形筒断面形状を成し、上面にはスリット４３が形成されている。ベースフレーム６０を取り付けるためのボルト６１は、ねじ部６１ａがスリット４３から上方に突出するようにして、その頭部６１ｂが方形筒内部に挿入されている。なお、この溝部４２の端部においては、ボルト６１の挿入を容易にするために、上面に切欠４２ａが設けられている。
【００４１】
上記構成の横フレーム４０は、左右対称的、かつ前後対称的に形成されている。したがって、前後の横フレーム４０は、同一物とすることができる。また、横フレーム４０は、長手方向（左右方向）を押出方向とし、基本形状が押出方向に同一断面形状であるアルミニウム又はアルミニウム合金製の型材を使用するものであるが、前述の切欠４２ａは、押出成型後にプレス加工されたものである。
【００４２】
縦フレーム５０は、上壁５１、側壁５２及び下壁５３からなるコの字型に形成されるとともに、側壁５２の端部には前述の締結片２８締付用のボルト２９を貫通させるためのボルト孔５２ａが形成されている。このボルト孔５２ａは、縦フレーム５０の端面がコーナブラケット２０の環状壁部２０Ａの外周面に当接するように位置が設定されている。そして、縦フレーム５０は、側壁５２の内面が締結片２８の外面に当接され、さらに、側壁５２が締結片２８を締め付けるための締結部材としてのボルト２９により共締めされて固定されている。
【００４３】
上記のように構成される縦フレーム５０は、前後対称的に構成されているので左右の縦フレーム５０は、同一物でよい。また、縦フレーム５０は、長手方向（前後方向）を押出方向とし、基本形状が押出方向に同一断面形状であるアルミニウム又はアルミニウム合金製の型材を使用するものであって、長手方向の断面形状は基本的に同一に形成されている。
【００４４】
ベースフレーム６０は、図１及び図２に示すように、方形筒断面形状を成し、上面を成す壁部６３に防振ゴム６４を長手方向の任意の位置に取り付け可能とするためのスリット６５が形成されている。防振ゴム６４についての詳細の記述は省略するが、スリット６５を介して上面を成す壁部６３を挟み込むように取り付けられている。なお、このベースフレーム６０の前後の端部における底壁６６には、横フレーム４０の溝部４２内に頭部６１ｂが挿入されているボルト６１のねじ部６１ａを貫通させるための貫通孔６６ａが形成されている。ベースフレーム６０は、この貫通孔６６ａにボルト６１のねじ部６１ａを貫通させ、上方から座金６１ｃを介してナット６２を締結することにより取り付けることができる。なお、エアコンの防振ゴム取付部の寸法に合わせて、ボルト６１の位置を変更してベースフレーム６０の位置及び間隔を変更することができる。また、防振ゴム６４の前後の位置もスリット６５により任意に移動することができる。なお、上面を成す壁部６３の端部は、上述のナット６２の締結を容易にするために切欠６３ａが形成されている。また、壁部６３の前後方向の中央部には、防振ゴム６４の下部を壁部６３の下方に挿入するための挿入穴６３ｂが形成されている。
【００４５】
また、ベースフレーム６０は、左右対称的、かつ前後対称的に形成されている。したがって、左右のベースフレーム６０は、同一物とすることができる。また、ベースフレーム６０は、長手方向（前後方向）を押出方向とし、基本形状が押出方向に同一断面形状であるアルミニウム又はアルミニウム合金製の型材を使用するものであるが、前述の切欠６３ａ、挿入穴６３ｂなどは、押出成型後にプレス加工されたものである。
【００４６】
アジャスタ７０は、図３に図示されるように、設置面に載置される方形状の水平壁部７２と、水平壁部７２の対向する２辺の一端側（図３において前側）には被取付部材である支柱１０を挟み込むように立ち上げられた一対の対向する垂直壁部７３とを備えている。垂直壁部７３上端の前後方向の寸法は、支柱１０の前後方向の寸法と略同一に形成され、水平壁部７２の前後方向の寸法はそれより大きく形成されている。そして、水平壁部７２には、支柱１０の側方となる位置にアンカーボルト（図示せず）を貫通させるためのボルト長孔７２ａが形成されるとともに、下面に前後方向の複数のリブ７４が形成されている。また、垂直壁部７３には十字穴付六角ボルト７１を貫通させるためのボルト長孔７３ａが形成されている。また、垂直壁部７３におけるボルト長孔７２ａ側の端面７３ｂは、下端位置が略ボルト長孔７２ａの略中心線上に至るような斜行している。
【００４７】
また、上記構成のアジャスタ７０は、ボルト長孔７２ａが支柱１０前後方向の内側となるように、支柱１０の下端部を一対の対向する垂直壁部７３間に挟持する。そして、十字穴付六角ボルト７１を左右方向外側となる垂直壁部７３から、座金７１ａ、ボルト長孔７３ａ、支柱１０のボルト挿通孔１８、支柱スペーサ１９の貫通孔１９ａ，１９ｂを介して左右方向内側に貫通させて、座金７１ｂを介してナット７１ｃが締結される。ボルト長孔７３ａは、十字穴付六角ボルト７１の貫通位置を調節することにより、アジャスタ７０の設置面の高さ変化に対応して支柱１０の有効高さを調節するものである。
【００４８】
上記構成のアジャスタ７０は、左右対称的に形成されている。したがって、四隅の支柱１０に取り付けられるアジャスタ７０は同一物とすることができる。また、アジャスタ７０は、長手方向（前後方向）を押出方向とし、押出方向には基本的に同一断面形状を成すアルミニウム又はアルミニウム合金製の型材を使用するものであるが、前述の斜行する端面７３ｂは、押出成型後にプレス加工されたものである。
【００４９】
上記構成において、支柱１０の上部には、図２に示すように、支柱１０の上端面をカバーするための樹脂成型品であるキャップ８０が取り付けられている。キャップ８０は、支柱１０の内部に嵌入される嵌入部８１と、支柱１０の端面を覆う天面壁部８２とから構成されている。なお、嵌入部８１は、弾性的に縮小して支柱１０内に挿入され、弾性的に係合保持されるように複数の切込８１ａが形成されている。
【００５０】
上記のように構成されたエアコン置台は次のようにして組み付けされる。
先ず、エアコンのサイズに合うように所定寸法に形成された上記構成の支柱１０、コーナブラケット２０、横フレーム４０、縦フレーム５０、ベースフレーム６０、アジャスタ７０、その他ボルト等の締結部材を準備する。そして、支柱組合品、横フレーム組合品を作る。
【００５１】
支柱組合品は、支柱１０の下端にアジャスタ７０を取り付けたものである。この場合、右前の支柱組合品と左後の支柱組合品とは向きを代えて使用するだけで、物自体は同一となる。同様に、左前の支柱組合品と右後の支柱組合品とは向きを代えて使用すればよく、物自体は同一である。支柱１０は、図１に示すように、エアコン置台として組み付けされた状態において、左右の外側面を成す壁部１１にコーナブラケット２０の位置決めをするための位置決め用ねじ孔（この実施の形態ではタッピングねじ１７用の下孔１１ａ）が存在するとともに、四隅のコーナ部に円弧状の壁部１３が位置するように配設されている。
【００５２】
また、支柱組合品は、図３に示すように、支柱１０の下端部に支柱スペーサ１９を挿入し、さらに、エアコン置台として組み付けされたときに図３に示すようにアジャスタ７０が前後方向内向きとなるように、支柱１０の下端部を一対の対向する垂直壁部７３間を挿入する。そして、十字穴付六角ボルト７１を、左右方向外側となる垂直壁部７３から座金７１ａ、ボルト長孔７３ａ、支柱１０のボルト挿通孔１８、支柱スペーサ１９の貫通孔１９ａ又は１９ｂを介して挿入し、ナット７１ｃを締結することにより仮組み付けされる（図１参照）。なお、メーカ出荷段階においてこのように仮組みされたものを出荷するようにすれば、現地での作業工数を削減することができる。
【００５３】
一方、横フレーム組合品は、横フレーム４０の左右にコーナブラケット２０を取り付けたものである。この場合において、横フレーム４０は、前述のように左右対称的に構成されているので、前後の横フレーム４０は同一である。また、コーナブラケット２０も高さ方向に対称的に形成されているので、四隅の支柱１０に取り付けられるコーナブラケット２０は同一である。したがって、前後の横フレーム組合品は、同一物でよく、エアコン置台として組み付けを行うときに左右反転させればよい。この横フレーム組合品についても、組み付けされたものを出荷するようにすれば、現地での作業工数を削減することができる。
【００５４】
横フレーム４０の左右にコーナブラケット２０を取り付ける際は、図２に示すように、横フレーム４０の端部にコーナブラケット２０の支持部３１を挿入する。このとき左右のコーナブラケット２０は上下反転して挿入することにより、組み付けされたエアコン置台において両コーナブラケット２０の締結片２８がそれぞれ前後方向内向きとなるように挿入することができる。この組み付けにおいて、支持部３１の高さ寸法及び外側面間寸法は、横フレーム４０の筒状部４１の内側の高さ寸法及び前後方向寸法と略一致するように形成されている。また、支持部３１を挿入する際にはスペーサ３６を挿入するとともに、リベット４４を挿入して貫通孔３７，３８をリベット孔４５に位置合わせし、リベット止めする。さらに、横フレーム４０の端部に挿入された支持部３１に対し、下方のタッピングねじ４７用の貫通孔４８からタッピングねじ４７を挿入し、タッピングねじ螺合用の溝部３５に対しタッピングねじ４７をねじ込み最終的に固定する。
【００５５】
次に、上記のように組み付けされた四隅の支柱組付品を準備し、この支柱組付品に対し横フレーム組付品を取り付ける。この取り付けは、先ず横フレーム組付品の取付高さ位置を設定して位置決め用のタッピングねじ１７用の下孔１１ａを選定する。そして、横フレーム４０に取り付けられたコーナブラケット２０の基部を成す環状壁部２０Ａを支柱１０の上部から挿入し、選定された下孔１１ａに対し貫通孔２１ａを介しタッピングねじ１７をねじ込んで、横フレーム組付品を所定の高さ位置に仮止めする。次いで、前後の支柱１０に取り付けられたコーナブラケット２０の締結片２８に対し縦フレーム５０の側壁５２の内面を当接させた状態で、ボルト孔５２ａ、２８ａに対し座金２９ａを介してボルト２９を挿入し、縦フレーム５０の内側の方から座金２９ｂを介してナット２９ｃを締結する。これにより締結片２８のスリット間隔が狭められてコーナブラケット２０の環状壁部２０Ａが締め付けられるとともに、横フレーム組付品が支柱１０に固定され、さらに、締結片２８を支持部として縦フレーム５０が取り付けられる。
【００５６】
また、支柱組付品の所定高さ位置に横フレーム４０及び縦フレーム５０が取り付けられた後、前後の横フレーム４０間にベースフレーム６０が取り付けられる。ベースフレーム６０の左右の位置は、エアコンの防振ゴムの取付位置に対応して調節される。この調節は横フレーム４０の溝部４２内に取り付けられるボルト６１の位置をスライドさせて変更することにより調節することができる。また、ベースフレーム６０のスリット６５に取り付けられる防振ゴム６４の前後方向の位置も、スリット６５においてその位置を調節することができる。
【００５７】
以上のようにして組み立てられたエアコン置台は、最終段階においてアジャスタ７０におけるボルト長孔７３ａを貫通する十字穴付六角ボルト７１の高さ方向の位置を調節することにより、設置面の状況に対応して支柱１０の有効高さ方向を調整する。
【００５８】
以上のように構成された本実施の形態に係るエアコン置台によれば次の効果を奏することができる。
（１）コーナブラケット２０の基部を構成する壁面から突出する支持部３１は、所定間隔に形成された一対の対向壁３２とこの対向壁３２の先端部を連結する連結壁３３とにより平面視ループ状に形成されるとともに、この先端部の外側面間寸法が筒状部４１の内側の幅寸法と略同一に形成されている。したがって、エアコン置台が図８(ａ)に示すように左右方向の力を受けて左右（Ｌ又はＲ方向）に変形する場合に、横フレーム４０の筒状部４１を構成する壁部に当接する面積が大きくなっている。図８（ｂ）は、連結壁３３が存在しない場合のコーナブラケットの例であり、基本的には従来品と同等のものであるが、この場合には筒状部４１の上下の壁部に接触する面積が小さくなる。このため、対向壁３２の先端部から筒状部４１の上下の壁部を押圧する力が局部的に集中し大きな力（Ｆ１）になる。このため、筒状部４１の上下の壁部が変形し易くなり、エアコン置台が変形され易くなる。これに対し、図８（ｃ）に示すように連結壁３３を設けることにより、筒状部４１の上下の壁部に接触する面積が大きくなる。このため、支持部３１の先端部から筒状部４１の上下の壁部を押圧する力が分散され小さな力（Ｆ２）になる。この結果、局部的な力の集中を緩和することができ、横フレーム４０の変形を抑制するとともに、エアコン置台の安定性を向上させることができる。
【００５９】
（２）横フレーム４０は、下部に筒状部４１を形成しその上部にベースフレーム取付用のボルト６１の頭部６１ｂを収納する溝部４２が形成されているので、支持部３１を挿入する筒状部４１を単純な筒状構造とすることができ、筒状部４１の前後方向の寸法を大きくすることができる。この結果、筒状部４１の上下の壁部と接触する支持部３１の先端部の面積を大きくすることができ、局部的な力の集中を抑制し易くなる。また、筒状部４１の上部にベースフレーム取付用の溝部４２が形成されているので、ベースフレーム６０の取付を容易にすることもできる。
【００６０】
（３）横フレーム４０は、支持部３１を挿入する筒状部４１が単純な筒状構造とされているので、水平方向に締結される締結部材（この場合リベット４４）により横フレーム４０が支持部３１に固定することができる。また、このように固定されることにより、横フレーム４０の筒状部４１の壁部に作用する力の集中をより一層緩和することができる。
【００６１】
（４）支持部３１の連結壁３３に形成された上下方向のタッピングねじ螺合用の溝部３５に対し、横フレーム４０の筒状部４１の下方の壁部４６からタッピングねじ４７がねじ込まれて、筒状部４１の下面を成す壁部４６と支持部３１とがタッピングねじにより固定されているので、支持部３１の先端部から筒状部４１の壁部に伝達される力が軽減される。したがって、筒状部４１の変形が緩和される。
【００６２】
（５）横フレーム４０の筒状部４１の下面を成す壁部４６には、タッピングねじ４７用の貫通孔４８の左右に水抜き孔４９が形成されているので、横フレーム４０内において、ループ状の支持部３１内に侵入した水分と、ループ状の支持部の外側に浸入した水分とを支障なく排出することができる。
【００６３】
（６）ループ状に形成されている支持部３１内にスペーサ３６が挿入された状態で、支持部３１に対し横フレーム４０が締め付けられて固定されるため、横フレーム４０取付時に支持部３１及び横フレーム４０の変形が抑制される。この結果、横フレーム４０とコーナブラケット２０との連結が強固に行われる。
【００６４】
（７）また、スペーサ３６の正面から見た略中央部の表面に係合突部３９が形成され、支持部３１の対向壁３２に係合突部３９に係合する係合孔３２ａが形成されているので、ループ状に形成されている支持部３１内にスペーサ３６を所定の位置に容易に挿入することができる。
【００６５】
（８）コーナブラケット２０は、筒状の支柱１０に対しスライド自在に挿入される環状壁部２０Ａを基部として有し、この基部から突出するように横フレーム４０及び縦フレーム５０を取り付ける支持部が形成されているので、支柱１０に対し適宜の高さ位置に横フレーム４０及び縦フレーム５０を容易に連結することができる。
【００６６】
（９）横フレーム４０を固定する支持部３１は、その外側壁面がコーナブラケット２０の前後の外側面から横フレーム４０の側壁の肉厚に相当する寸法ｙ２とコーナブラケット２０の角部のＲに相当する寸法ｙ３とを加算した寸法に略等しい寸法ｙ１分内側に位置して形成されている。また、横フレーム４０は、その側壁の内面が支持部３１の外側面に当接するとともに、横フレーム４０の側壁の端面がコーナブラケット２０の外周壁面に当接するように取り付けられている。したがって、横フレーム４０を介してコーナブラケット２０に作用する力が環状壁部２０Ａにおける支持部３１を形成する壁部２４と直交する壁部２２の肉厚部に作用する状態で支持されるので、支持部３１の先端部が横フレーム４０の筒状部４１の上下の壁部を押圧する力が軽減される。また、横フレーム４０を介し横フレーム４０を固定する支持部３１を形成する壁部２４に作用する力が低減されるので、コーナブラケット２０における支持部３１を形成する壁部２４に対する力が減少し、その変形が軽減される。このように作用する結果、エアコン置台の強度が向上する。
【００６７】
また、縦フレーム５０を固定する支持部としての締結片２８は、その外側壁面がコーナブラケット２０の左右の外側面から、縦フレーム５０の側壁５２の肉厚に相当する寸法ｘ２とコーナブラケット２０の角部のＲに相当する寸法ｘ３とを加算した寸法に略等しい寸法ｘ１分内側に位置して形成されている。また、縦フレーム５０は、その側壁５２の内面が締結片２８の外側面に当接するとともに、この側壁５２の端面がコーナブラケット２０の環状壁部２０Ａの外周壁面に当接するように取り付けられている。したがって、縦フレーム５０を介してコーナブラケット２０に作用する力が、環状壁部２０Ａにおける締結片２８を形成する壁部２５と直交する壁部２１の肉厚部に作用する状態で支持されるので、コーナブラケット２０における締結片２８を形成する壁部２５に対する力が減少し、その変形が軽減され、エアコン置台の強度が向上する。
【００６８】
支柱１０、コーナブラケット２０、横フレーム４０及び縦フレーム５０は、アルミニウム又はアルミニウム合金製の押出成型された型材から形成され、基本形状が押出方向に同一断面形状となるように形成されているので、コスト軽減及び軽量化を図るとともに外観の見栄えを向上させることができる。
（変形例）
以上説明した本実施の形態に係るエアコン置台及びエアコン置台は、一例を示すものであり、本発明の範囲内において適宜変更できるものである。例えば、次のように変形することができる。
【００６９】
（１）上記実施の形態において、横フレーム４０及び縦フレーム５０は上方に１段設けられたものであったが、図９に示すように、上下それぞれに設けた２段としてもよい。また、それ以上の複数段とすることもできる。なお、この場合、支柱１０は長くする必要があり、下方部にも位置決め用ねじ孔としてのタッピングねじ１７用の下孔１１ａをする必要があるが、コーナブラケット２０、横フレーム４０、縦フレーム５０等の構成部材は同一でよい。
【００７０】
（２）上記実施の形態において、横フレーム４０は、コーナブラケット２０の支持部に対し水平方向のリベット４４及び下方からのタッピングねじ４７により取り付けられているが、何れか一方にしてもよい。また、リベット４４に代えてボルトナットにより取り付けるようにしてもよい。
【００７１】
（３）上記実施の形態において、コーナブラケット２０の環状壁部２０Ａの壁面からスリット間隔を維持して略直交状に突出する一対の対向する締結片２８には、縦フレーム５０の取付及び締結片２８の締付を共締め処理するボルト孔２８ａが１個のみ設けられていた。しかし、このように１個にすることに拘泥されるものではなく、図１０に示すように、締結片２８の突出長さを大きくしてボルト孔２８ａの個数を複数にしてもよい。
【００７２】
（４）また、図１０に示すように、連結壁３３に設ける溝部３５をループ状の支持部３１の外側に形成していたが、この溝部３５を図１０に示すようにループ状の支持部３１の内側に形成してもよい。
【００７３】
（５）上記実施の形態において、一対の締結片２８と支持部３１の取り付けを交換させるようにしてもよい。すなわち、一対の締結片２８を環状壁部２０Ａから左右方向内側に締結片を突出させ、これを支持部として横フレーム４０を取り付ける一方、支持部３１を環状壁部２０Ａから左右方向内側に締結片２８を突出させ、この支持部３１に対し縦フレーム５０を取り付けるようにしてもよい。
【００７４】
（６）コーナブラケット２０の位置決め用ねじとしてタッピングねじ１７を用いているが、通常のねじとし、下孔１１ａを通常のねじ孔としてもよい。
（７）上記実施の形態においてエアコン置台は平地用のエアコン置台として組み付けされているが、コーナブラケット２０は支柱１０の高さ方向の任意に位置にスライドさせることができるので、前後左右の支柱１０の有効長さをそれぞれ異ならせることにより傾斜地用に適したエアコン置台とすることもできる。
【図面の簡単な説明】
【００７５】
【図１】本発明の実施形態に係るエアコン置台の斜視図である。
【図２】同エアコン置台における右前のコーナブラケット周りの分解斜視図である。
【図３】同エアコン置台における右前のアジャスタ周りの分解斜視図である。
【図４】同エアコン置台における右前のコーナブラケット部の断面図であり、（ａ）は平断面図であり、（ｂ）は（ａ）におけるＡ−Ａ断面図である。
【図５】同エアコン置台におけるコーナブラケットの平面図である。
【図６】同エアコン置台における手前の横フレームの右端部を下方から見た斜視図である。
【図７】同エアコン置台におけるスペーサの斜視図である。
【図８】同エアコン置台におけるコーナブラケットの作用説明図であって、（ａ）はエアコン置台の変形例であり、（ｂ）は参考例に係るコーナブラケットの作用図であり、（ｃ）本実施の形態にかかるコーナブラケットの作用図である。
【図９】変形例に係る２段用エアコン置台の斜視図である。
【図１０】コーナブラケットの他の変形例についての斜視図である。
【図１１】従来例に係るエアコン置台の斜視図である。
【図１２】同エアコン置台における左後のコーナブラケット周りの分解斜視図である。
【図１３】同コーナブラケット周りの平断面図である。
【符号の説明】
【００７６】
ｘ１、ｘ２、ｘ３、ｙ１、ｙ２、ｙ３…寸法、１０…支柱、２０…コーナブラケット、２０Ａ…環状壁部、２１ａ…貫通孔、２７…スリット部、２８…（支持部としての）締結片、３１…支持部、３２…対抗壁、３２ａ…係合孔、３３…連結壁、３５、４２…溝部、３６…スペーサ、３９…係合突部、４０…横フレーム、４１…筒状部、４６…（下面をなす）壁部、４７…タッピングねじ、４８…貫通孔、４９…水抜き孔、５０…縦フレーム、５２…側壁、６０…ベースフレーム、６１…ボルト、６１ａ…（ボルトの）ねじ部、６１ｂ…（ボルトの）頭部。
【図１】
0004801102.tif 000002
【図２】
0004801102.tif 000003
【図３】
0004801102.tif 000004
【図４】
0004801102.tif 000005
【図５】
0004801102.tif 000006
【図６】
0004801102.tif 000007
【図７】
0004801102.tif 000008
【図８】
0004801102.tif 000009
【図９】
0004801102.tif 000010
【図１０】
0004801102.tif 000011
【図１１】
0004801102.tif 000012
【図１２】
0004801102.tif 000013
【図１３】
0004801102.tif 000014